(57)【要約】【課題】セグメント電極を持つ複数層の液晶表示パネルを備える液晶表示制御装置において、多様な表示表現を可能とすること。【解決手段】全体のサイズが小さなセグメント電極群７ｃに電圧が印加され、これに対応する位置の液晶部分が小さなサイズで点灯表示されている状態から、当該小さなセグメント電極群７ｃを一旦消灯した上で、全体のサイズが大きなセグメント電極群６ｃに電圧が印加され、これに対応する位置の液晶部分が大きなサイズで点灯表示させると、使用者は、小さなサイズの液晶部分を最初に視認し、その直後に、大きなサイズの液晶部分を視認することになるので、時刻が上方に向かって飛び出したかのような印象を得る。【選択図】図３
2011002321.tif 000002
【特許請求の範囲】
【請求項１】
視認側に配置され、第１のセグメント電極を有する第１の液晶表示パネルと、
前記第１の液晶表示パネルの裏面側に配置され、第２のセグメント電極を有する第２の液晶表示パネルと、
前記第１の液晶表示パネルと前記第２の液晶表示パネルとを表示駆動させる液晶駆動手段と、を備え、
前記第１のセグメント電極及び前記第２のセグメント電極は、前記第１の液晶表示パネル及び前記第２の液晶表示パネル上の互いに対応した位置で、かつ、同一内容の表示が可能な電極部分を含み、さらに、この電極部分のうち、少なくとも一部は互いに形態が異なっていることを特徴とする液晶表示制御装置。
【請求項２】
前記第１のセグメント電極及び前記第２のセグメント電極は、互いに全体のサイズが異なることを特徴とする請求項１に記載の液晶表示制御装置。
【請求項３】
請求項２の液晶表示制御装置を時計本体に備えたことを特徴とする時計。
【請求項４】
前記第１のセグメント電極及び前記第２のセグメント電極は時間表示部を構成していることを特徴とする請求項３に記載の時計。
【請求項５】
前記液晶駆動手段は、所定の時期に、前記第１の液晶表示パネルと前記第２の液晶表示パネルとを交互に駆動させ、前記第１の液晶表示パネルと前記第２の液晶表示パネルとによる同一内容の表示を交互に行わせることを特徴とする請求項３又は４に記載の時計。
【請求項６】
前記液晶駆動手段は、アラーム報知時に、前記第１の液晶表示パネルと前記第２の液晶表示パネルとを交互に駆動させ、前記第１の液晶表示パネルと前記第２の液晶表示パネルとによる同一内容の表示を交互に行わせることを特徴とする請求項３又は４に記載の時計。
【請求項７】
前記液晶駆動手段は、時刻セット時に、セット該当桁に相当する部分については前記第１の液晶表示パネルと前記第２の液晶表示パネルとを交互に駆動させ前記第１の液晶表示パネルによる表示と前記第２の液晶表示パネルによる表示とを交互に行わせ、それ以外の部分については前記第２の液晶表示パネルによる表示を行わせるように構成されていることを特徴とする請求項４に記載の時計。
【請求項８】
互いに形態が異なる前記電極部分に相当する部分の表示を前記第１の液晶表示パネル及び前記第２の液晶表示パネルの一方による表示から他方の表示に順送りで１つずつスクロールさせて変更することを特徴とする請求項３又は４に記載の時計。
【発明の詳細な説明】
【技術分野】
【０００１】
本発明は、セグメント電極を持つ複数層の液晶表示パネルを備える液晶表示制御装置および時計に関するものである。
【背景技術】
【０００２】
従来、セグメント電極を持つ２層の液晶表示パネルを備える液晶表示制御装置が知られている（例えば、特許文献１）。この液晶表示制御装置は、セグメント電極（信号電極）と対向電極とがそれぞれ設けられた２枚の液晶表示パネルを備え、液晶駆動手段によって２枚の液晶表示パネルを駆動できるように構成されている（例えば、特許文献１）。
【先行技術文献】
【特許文献】
【０００３】
【特許文献１】特開昭５７−２６７８０号公報
【発明の概要】
【発明が解決しようとする課題】
【０００４】
ところで、上記特許文献１の液晶表示制御装置においては、２枚の液晶表示パネルの画素（正確にはセグメント電極と対向電極の重なり部分）同士の形態（形状及び大きさ）は同じとなっていた。
そのため、２枚の液晶表示パネルは同一内容の表示が可能となってはいたが、２枚の液晶表示パネルのセグメント電極の形態（形状及び大きさ）が同じである。そのため、２枚の液晶表示パネルの駆動切換えを行っても多少の奥行き感が醸し出されはするものの、多様な表示表現は困難であった。
【０００５】
そこで、本発明の課題は、セグメント電極を持つ複数層の液晶表示パネルを備える液晶表示制御装置および時計において、多様な表示表現を可能とすることにある。
【課題を解決するための手段】
【０００６】
請求項１に記載の発明は、
視認側に配置され、第１のセグメント電極を有する第１の液晶表示パネルと、
前記第１の液晶表示パネルの裏面側に配置され、第２のセグメント電極を有する第２の液晶表示パネルと、
前記第１の液晶表示パネルと前記第２の液晶表示パネルとを表示駆動させる液晶駆動手段と、を備え、
前記第１のセグメント電極及び前記第２のセグメント電極は、前記第１の液晶表示パネル及び前記第２の液晶表示パネル上の互いに対応した位置で、かつ、同一内容の表示が可能な電極部分を含み、さらに、この電極部分のうち、少なくとも一部は互いに形態が異なっていることを特徴とする液晶表示制御装置である。
ここに、「形態」とは、文字、図形、記号等の形状及び／又はサイズ（大きさ）を言う。
【０００７】
請求項２に記載の発明は、請求項１に記載の液晶表示制御装置において、前記第１のセグメント電極及び前記第２のセグメント電極は、互いに全体のサイズ（大きさ）が異なることを特徴とする。
【０００８】
請求項３に記載の発明は、請求項２の液晶表示制御装置を時計本体に備えたことを特徴とする時計である。
【０００９】
請求項４に記載の発明は、請求項３に記載の時計において、前記第１のセグメント電極及び前記第２のセグメント電極は時間表示部を構成していることを特徴とする。
【００１０】
請求項５に記載の発明は、請求項３又は４に記載の時計において、前記液晶駆動手段は、所定の時期に、前記第１の液晶表示パネルと前記第２の液晶表示パネルとを交互に駆動させ、前記第１の液晶表示パネルと前記第２の液晶表示パネルとによる同一内容の表示を交互に行わせることを特徴とする。
【００１１】
請求項６に記載の時計は、請求項３又は４に記載の時計において、前記液晶駆動手段は、アラーム報知時に、前記第１の液晶表示パネルと前記第２の液晶表示パネルとを交互に駆動させ、前記第１の液晶表示パネルと前記第２の液晶表示パネルとによる同一内容の表示を交互に行わせることを特徴とする。
【００１２】
請求項７に記載の時計は、請求項４に記載の時計において、前記液晶駆動手段は、時刻セット時に、セット該当桁に相当する部分については前記第１の液晶表示パネルと前記第２の液晶表示パネルとを交互に駆動させ前記第１の液晶表示パネルによる表示と前記第２の液晶表示パネルによる表示とを交互に行わせ、それ以外の部分については前記第２の液晶表示パネルによる表示を行わせるように構成されていることを特徴とする。
【００１３】
請求項８に記載の発明は、請求項３又は４に記載の時計において、互いに形態が異なる前記電極部分に相当する部分の表示を前記第１の液晶表示パネル及び前記第２の液晶表示パネルの一方による表示から他方の表示に順送りで１つずつスクロールさせて変更することを特徴とする。
【発明の効果】
【００１４】
本願発明によれば、第１のセグメント電極及び第２のセグメント電極は、第１の液晶表示パネル及び第２の液晶表示パネル上の互いに対応した位置で、かつ、同一内容の表示が可能な電極部分を含み、さらに、この電極部分のうち、少なくとも一部は互いに形態が異なっているので、２枚の液晶表示パネルを交互に駆動させることによって、同一内容の表示を形状及び／大きさを交互に変えて行うことができる。
このように、２枚の液晶表示パネルでもって多様な表示表現をすることが可能となり、視認性も向上することになる。例えば、アラーム報知時（アラーム放音時等）には表示の形状及び／又は大きさを変化させれば、アラーム報音時の到来を視覚の上でも確認し易く、また、時刻セット時にセット該当桁の表示の形状及び／又は大きさを変化させれば、セット該当桁の位置を確認し易くなる。そして、加えてセット該当桁を間欠的に表示させれば、さらに、セット該当桁を確認しやすくなる。特に、大きさを変化させた場合には、表示が飛び出したり、表示が沈んだりする感覚が醸し出される。また、形状を変化させた場合には表示の立体感が醸し出される。さらに、互いに形態が異なる前記電極部分に相当する部分の表示を第１の液晶表示パネル及び第２の液晶表示パネルの一方による表示から他方の表示に順送りで１つずつスクロールさせて変更することによって、躍動感のある表示表現が可能となる。
【図面の簡単な説明】
【００１５】
【図１】実施形態の時計の一例である電子腕時計の正面図である。
【図２】図１の電子腕時計の液晶表示パネルを説明するための概念図であり、（Ａ）は液晶表示パネルの並びを示す概念図、（Ｂ）は液晶表示パネルの構造の概念図である。
【図３】上側の液晶表示パネル及び下側の液晶表示パネルの表示部を説明するための図である。
【図４】図１の電子腕時計の機能構成のブロック図である。
【図５】時刻セット時のフローチャートである。
【図６】時刻セット時の表示例を示す図である。
【図７】アラーム報音時のフローチャートである。
【図８】アラーム放音時の表示例を示す図である。
【図９】アニメーションモード時のフローチャートである。
【図１０】アニメーションモード時の表示例を示す図である。
【図１１】アニメーションモード時の他の表示例を示す図である。
【発明を実施するための形態】
【００１６】
以下、本発明の実施の形態を図面に基づいて説明する。
【００１７】
［第１実施形態］
図１は、実施形態の時計の一例である電子腕時計の正面図である。
この電子腕時計は腕時計ケース１を備えている。この腕時計ケース１の上部には、図２（Ａ）の概念図に示すように、時計ガラス２が装着され、一方、腕時計ケース１の下部には、裏蓋３が防水リング（図示せず）を介して取り付けられている。同図では、第１の液晶表示パネル６と第２の液晶表示パネル７とは間隔を隔てて設けられているが、当接していてもよいことは勿論である。
そして、腕時計ケース１の内部には、第１の液晶表示パネル６、第２の液晶表示パネル７が設けられている。
また、腕時計ケース１の３時側及び９時側の両側面には、図１に示すように、複数の押釦スイッチ１１が設けられている。
なお、図２（Ａ）には示されてはいないが、第２の液晶表示パネル７の下側に必要に応じてバックライトや反射板が設けられる。また、第２の液晶表示パネル７の下側に半透過反射板を設け、さらにその下側に補助光源であるバックライトが設けられていてもよい。
【００１８】
次に、第１の液晶表示パネル６及び第２の液晶表示パネル７の構造を図２（Ｂ）の概念図を用いて説明する。なお、第１の液晶表示パネル６及び第２の液晶表示パネル７の構造はほぼ同じであるので、同時に説明する。
【００１９】
液晶表示パネル６，７は、上側ガラス基板６ａ，７ａと、この上側ガラス基板６ａ，７ａと所定の間隙を持って対向する下側ガラス基板６ｂ，７ｂとを備える。
下側ガラス基板６ｂ，７ｂには信号電極としてのセグメント電極６ｃ，７ｃが設けられている。一方、上側ガラス基板６ａ，７ａには対向電極６ｄ，７ｄが設けられている。セグメント電極６ｃ，７ｃ及び対向電極６ｄ，７ｄは透明電極となっている。
また、上側ガラス基板６ａ，７ａと下側ガラス基板６ｂ，７ｂとの間には液晶層６ｆ，７ｆが封入されている。
なお、図２（Ｂ）において、符号６ｅ，７ｅは配向膜、６ｇ，７ｇは偏光板を指示している。また、液晶表示パネル６，７には図示はしないがカラーフィルタが設けられ、液晶表示パネル６での表示色と液晶表示パネル７での表示色を変えてある。
【００２０】
次に、第１の液晶表示パネル６及び第２の液晶表示パネル７の表示部について説明する。
上側の液晶表示パネル（第１の液晶表示パネル）６の表示部６０は、図３に示すように、大別して、３つの表示区域６０ａ，６０ｂ，６０ｃから構成されている。
そして、１つ目の表示区域６０ａには、３個の輪状電極群６１ａ，６１ｂ，６１ｃが横並びに設けられている。このうち輪状電極群６１ａは同形の１２個のセグメント電極６ｃから構成されている。また、第２の輪状電極群６１ｂは同形の５個のセグメント電極６ｃから構成され、第３の輪状電極群６１ｃは同じく５個のセグメント電極６ｃから構成されている。
２つ目の表示区域６０ｂには、０から９までの数字を表すための電極群６２ａ，６２ｂ，６２ｃ，６２ｄ，６２ｅが横並びに設けられている。これら電極群は、図３（Ｂ）に示すように、各７個のセグメント電極６ｃから構成されている。また、この２つ目の表示区域６０ｂには、「ＤＳＴ（Daylight Saving Time）」、「Ａ（ＡＭ）」、「Ｐ（ＰＭ）」、「ＡＳＺ（Snooze）」及び「ＳＰＬＩＴ」の各文字を表す個別電極と、時間表示に使用される「‘（プライム）」、「“（ダブルプライム）」及び「：（コロン）」の各記号を表す個別電極とが所定箇所に設けられている。
３つ目の表示区域６０ｃには、０から９までの数字を表すための電極群６３ａ，６３ｂ，６３ｃ，６３ｄ，６３ｅが横並びに設けられている。これら電極群は各７個のセグメント電極６ｃから構成されている。この３つ目の表示区域６０ｃには、「ＤＳＴ（Daylight Saving Time）」、「Ａ（ＡＭ）」、「Ｐ（ＰＭ）」、「ＡＳＺ（Snooze）」の各文字を表す個別電極その他の個別電極が設けられている。
なお、セグメント電極６ｃからなる電極群以外の個別電極も透明電極として形成され、その対向部分には透明な対向電極が設けられる。
【００２１】
一方、下側の液晶表示パネル７の表示部７０は、図４に示すように、大別して、３つの表示区域７０ａ，７０ｂ，７０ｃから構成されている。
そして、１つ目の表示区域７０ａには、３個の輪状電極群７１ａ，７１ｂ，７１ｃが横並びに設けられている。このうち輪状電極群７１ａは同形の１２個のセグメント電極７ｃから構成されている。また、第２の輪状電極群７１ｂは同形の５個のセグメント電極７ｃから構成され、第３の輪状電極群７１ｃは同じく５個のセグメント電極７ｃから構成されている。
２つ目の表示区域７０ｂには、０から９までの数字を表すための電極群７２ａ，７２ｂ，７２ｃ，７２ｄ，７２ｅが横並びに設けられている。これら電極群は、図３（Ｂ）に示すように、各７個のセグメント電極７ｃから構成されている。また、この２つ目の表示区域７０ｂには、「ＤＳＴ（Daylight Saving Time）」、「Ａ（ＡＭ）」、「Ｐ（ＰＭ）」、「ＡＳＺ（Snooze）」及び「ＳＰＬＩＴ」の各文字を表す個別電極と、時間表示に使用される「‘（プライム）」、「“（ダブルプライム）」及び「：（コロン）」の各記号を表す個別電極とが所定箇所に設けられている。
３つ目の表示区域７０ｃには、０から９までの数字を表すための電極群７３ａ，７３ｂ，７３ｃ，７３ｄ，７３ｅが横並びに設けられている。これら電極群は各７個のセグメント電極７ｃから構成されている。この３つ目の表示区域７０ｃには、「ＤＳＴ（Daylight Saving Time）」、「Ａ（ＡＭ）」、「Ｐ（ＰＭ）」、「ＡＳＺ（Snooze）」の各文字を表す個別電極その他の個別電極が設けられている。
なお、セグメント電極７ｃからなる電極群以外の個別電極も透明電極として形成され、その対向部分には透明な対向電極が設けられる。
【００２２】
このように、上側の液晶表示パネル６と下側の液晶表示パネル７とでは、互いに対応する電極群の並び順は同じとなっていて、上側の液晶表示パネル６と下側の液晶表示パネル７とは同じ内容の表示が可能となっている。
しかし、上側の液晶表示パネル６と下側の液晶表示パネル７とでは、図３（Ａ），（Ｂ）に示すように、セグメント電極からなる電極群の形態（形状及び大きさ）が異なっている。
すなわち、下側の液晶表示パネル７におけるセグメント電極７ｃからなる電極群は平面的に構成されているのに対して、上側の液晶表示パネル６におけるそれは、正面側から見て、下側の液晶表示パネル７の平面的電極を球に投影した形状で、かつ、大きさも下側の液晶表示パネル７のそれよりも大きいものとなっている。
また、セグメント電極６ｃ及び７ｃは全体のサイズも互いに異なっている。したがって、２枚の液晶表示パネル６，７を交互に駆動させた場合には、表示が飛び出したり沈んだりする感覚が醸し出される。
すなわち、図３（Ｂ）に示すように、全体のサイズが小さなセグメント電極群７ｃに電圧が印加され、これに対応する位置の液晶部分が小さなサイズで点灯表示されている状態から、当該小さなセグメント電極群７ｃを一旦消灯した上で、全体のサイズが大きなセグメント電極群６ｃに電圧が印加され、これに対応する位置の液晶部分が大きなサイズで点灯表示させると、使用者は、小さなサイズの液晶部分を最初に視認し、その直後に、大きなサイズの液晶部分を視認することになるので、時刻が上方に向かって飛び出したのような印象を得ることができる。
一方、その後に、全体のサイズが大きなセグメント電極群６ｃに電圧が印加され、これに対応する位置の液晶部分が大きなサイズで点灯表示されている状態から、当該大きなセグメント電極群６ｃを一旦消灯した上で、全体のサイズが小さなセグメント電極群７ｃに電圧が印加され、これに対応する位置の液晶部分が小さなサイズで点灯表示させると、使用者は、大きなサイズの液晶部分を最初に視認し、その直後に、小さなサイズの液晶部分を視認することになるので、時刻が下方に向かって沈んだような印象を得ることができる。
２枚の液晶表示パネル６，７で同一内容の表示を交互に行わせる場合には、その効果が大きい。
なお、上側の液晶表示パネル６及び下側の液晶表示パネル７とでは、互いに対応する電極群は上下で重なる位置に設けてもよいが（むしろ、上下で重なる位置に設けることが好ましいが）、互いに対応しない電極群は上下で重ならない位置に設けることが好ましい。
【００２３】
次に、図４を参照しつつ、本実施形態における電子腕時計の機能的構成について説明する。
電子腕時計は、入力部１００、ＣＰＵ（Central Processing Unit）１０１、ＲＯＭ（Read Only Memory）１０２、ＲＡＭ（Random Access Memory）１０３、発振回路部１０４、計時回路部１０５、表示駆動回路部１０６等を備えて構成されている。
【００２４】
入力部１００は、電子腕時計の各種機能の実行を指示するための複数の押釦スイッチ１１を含む。ユーザによりこの押釦スイッチ１１が操作されると、これに基づいて、時刻セット（目覚まし時刻セット等）又はアニメモードの選択等がなされる。
【００２５】
ＣＰＵ１０１は、例えば、所定のタイミング或いは入力部１００から入力された操作信号等に応じて、ＲＯＭ１０２に格納されている各種プログラムを読み出してＲＡＭ１０３の作業領域に展開し、当該プログラムに従って電子腕時計を構成する各部への指示やデータの転送等の各種処理を実行するものである。
【００２６】
ＲＯＭ１０２は、読み出し専用のメモリであり、電子腕時計の種々の機能を実現させるためのシステムプログラムや各種アプリケーションプログラム、各種データ等を記憶するものである。
【００２７】
ＲＡＭ１０３は、例えば、揮発性の半導体メモリであり、ＣＰＵ１０１により実行される各種プログラムや、これらのプログラムの実行に係るデータ等を一時的に保持するためのメモリ領域を備え、ＣＰＵ１０１の作業領域として用いられる。
【００２８】
発振回路部１０４は、常時一定周波数のクロック信号を出力する回路であり、計時回路部１０５は、発振回路部１０４から入力される信号を計数して、現在時刻データ等を取得するものである。計時回路部１０５は、取得した現在時刻データをＣＰＵ１０１に対して出力するようになっている。
【００２９】
表示駆動回路部１０６は、例えば、ＣＰＵ１０１からのデータや制御信号等に基づいて液晶表示パネル６，７を駆動して、この液晶表示パネル６，７に各種情報を表示させる表示処理を行うものであり、ＣＰＵ１０１とともに表示制御部として機能する。
【００３０】
次に、実施形態の電子腕時計の動作をＣＰＵの働きとともに説明する。
【００３１】
［通常時］
図１には電子腕時計の通常の表示状態が示されている。この場合には、ＣＰＵ１０１は、下側の液晶表示パネル７だけを駆動させている。同図の電子腕時計は現在２００１年６月２１日１０時５８分５８秒であることを示している。このとき、下側の液晶表示パネル７の輪状電極７０ａは１０個のセグメント電極７ｃに相当する部分が点灯し「１０時台」であることを示し、輪状電極７０ｂは５個のセグメント電極７ｃに相当する部分が点灯し「５０分台」であることを示し、輪状電極７０ｂは５個のセグメント電極７ｃに相当する部分が点灯し「５０秒台」であることを示している。
【００３２】
［時刻セット時］
図５には、この時刻セット時のフローチャートが示されている。
時刻セットは電子腕時計の押釦スイッチ１１を用いて行われる。この時刻セットは、例えば現在時刻合わせ、目覚まし時刻の設定等の際に行われる。ＣＰＵ１０１は、時刻セット前は（ステップ２でＮＯ）、下側の液晶表示パネル（下ＬＣＤ）７を点灯状態、上側の液晶表示パネル（上ＬＣＤ）６を不灯状態とさせ（ステップ１）、電子腕時計は通常の表示状態を維持する（図１参照）。そして、ＣＰＵ１０１は、セット状態になると（ステップ２でＹＥＳ）、セット該当桁以外の場合には（ステップ３でＮＯ）、下側の液晶表示パネル７を点灯状態、上側の液晶表示パネル６を不灯状態に維持させる（ステップ１）。一方、セット該当桁については（ステップ３でＹＥＳ）、ＣＰＵ１０１は、時計計時が偶数秒のとき（ステップ４でＮＯ）、下側の液晶表示パネル７を点灯状態、上側の液晶表示パネル６を不灯状態とさせ（ステップ１）、一方、時計計時が奇数秒のとき（ステップ４でＹＥＳ）、下側の液晶表示パネル７を不灯状態、上側の液晶表示パネル６を点灯状態とさせる（ステップ５）。このようにして、セット状態が終了すると、ＣＰＵ１０１は、下側の液晶表示パネル７を点灯状態、上側の液晶表示パネル６を不灯状態とさせ、通常の状態に戻す。
【００３３】
この場合の表示例が図６に示されている。この場合のセット該当桁は「分」の桁であり、「分」の桁にある「５８」の表示が下側の液晶表示パネル７と上側の液晶表示パネル６とで交互に切り換えられる。その他の部分はセット該当桁ではないので、下側の液晶表示パネル７が点灯状態、上側の液晶パネル６が不灯状態を維持する。このように、時刻セット時にセット該当桁の表示の形状及び／又は大きさを変化させれば、セット該当桁の位置を確認し易くなる。そして、加えてセット該当桁を間欠的に表示させれば、さらに、セット該当桁を確認しやすくなる。
【００３４】
［アラーム報音時］
図７には、このアラーム報音時のフローチャートが示されている。
アラーム報音のタイミングは電子腕時計の押釦スイッチ１１で予め設定される。ＣＰＵ１０１は、アラーム報音タイミングに至る前は（ステップ１２でＮＯ）、下側の液晶表示パネル（下ＬＣＤ）７を点灯状態、上側の液晶表示パネル（上ＬＣＤ）６を不灯状態とさせ（ステップ１１）、電子腕時計は通常の表示状態を維持する(図１参照)。そして、ＣＰＵ１０１は、アラーム報音タイミングになると（ステップ１２でＹＥＳ）、一旦、下側の液晶表示パネル７を不灯状態、上側の液晶表示パネル６を点灯状態とさせる（ステップ１３）。そして、アラーム報音が継続している間（ステップ１４でＮＯ）、ＣＰＵ１０１は、時計計時が偶数秒のとき（ステップ１５でＮＯ）、下側の液晶表示パネル７を点灯状態、上側の液晶表示パネル６を不灯状態とさせる。一方、アラーム報音が継続している間（ステップ１４でＮＯ）、ＣＰＵ１０１は、時計計時が奇数秒のとき（ステップ１５でＹＥＳ）、下側の液晶表示パネル７を点灯状態、上側の液晶表示パネル６を不灯状態とさせる（ステップ１６）。このようにして、アラーム報音が終了すると（ステップ１４でＹＥＳ）、ＣＰＵ１０１は、ステップ１１の処理に戻り、下側の液晶表示パネル７を点灯状態、上側の液晶表示パネル６を不灯状態とさせる。
【００３５】
この場合の表示例が図８に示されている。この場合のアラーム報音時は２００１年６月２１日１０時５８分である。このアラーム報音が継続している間、下側の液晶表示パネル７の点灯状態と上側液晶パネル６の点灯状態とが交互に繰り返される。このようにアラーム報知時（アラーム放音時等）には表示の形状及び／又は大きさを変化させれば、アラーム報音時の到来を視覚の上でも確認し易くなる。
【００３６】
［アニメーションモード］
図９には、アニメーションモード時のフローチャートが示されている。
ここでは、例えば、横並びされ数字を表す４つの電極で考えることにする。そして、４つの電極の表示桁を左側から順に表示桁Ａ，Ｂ，Ｃ，Ｄとして考えることにする。
このアニメーションモードの選択は、電子腕時計の押釦スイッチ１１によるキー操作によってなされる。ＣＰＵ１０１は、キー操作があるまでの間（ステップ２１でＮＯ）は、下側の液晶表示パネル（下ＬＣＤ）７を点灯状態、上側の液晶表示パネル（上ＬＣＤ）６を不灯状態とさせ、電子腕時計は通常の表示状態を維持する。そして、ＣＰＵ１０１は、キー操作があり（ステップ２１でＹＥＳ）、キー操作から１／１６秒経過すると（ステップ２２でＹＥＳ）、表示桁Ａの部分で上側の液晶表示パネル６を点灯状態、下側の液晶表示パネル７を不灯状態とさせるとともに、それ以外の表示桁Ｂ，Ｃ，Ｄの部分では上側の液晶表示パネル６を不灯状態、下側の液晶表示パネル７を点灯状態とさせる（ステップＳ２３）。続いて、キー操作から２／１６秒経過すると（ステップ２４でＹＥＳ）、ＣＰＵ１０１は、表示桁Ａの部分で上側の液晶表示パネル６を不灯状態、下側の液晶表示パネル７を点灯状態に戻すと同時に、ＣＰＵ１０１は、表示桁Ｂの部分で上側の液晶表示パネル６を点灯状態、下側の液晶表示パネル７を不灯状態とさせるとともに、それ以外の表示桁Ｃ，Ｄの部分では上側の液晶表示パネル６を不灯状態、下側の液晶表示パネル７を点灯状態とさせる（ステップ２５）。
このようにして、１／１６秒間隔で、上側の液晶表示パネル６の点灯状態、下側の液晶パネルの不灯状態７が表示桁Ａ、表示桁Ｂ、表示桁Ｃ、表示桁Ｄと順送りに右側に移行するようにする（ステップ２６）。そして、キー操作から５／１６秒経過したときに（ステップ２７）、全ての表示桁で上側の液晶表示パネル６を不灯状態、下側の液晶表示パネル７を点灯状態とする。
【００３７】
この場合の表示の一例が図１０に示されている。  例えば４桁で表示される小文字からなる数字「８８８８」が左側の表示桁から順送りで（スクロールされて）大きくなってゆく例である。まず、最も左の表示桁Ａが大文字の「８」に変化して「８８８８」となる。ここでは、大文字として表示される数字にアンダーラインが付してある。以下同様に大文字にはアンダーラインを付するものとする。
次に、表示桁Ａが小文字の「８」に戻ると同時に、表示桁Ｂが大文字の「８」に変化して「８８８８」となる。続いて、表示桁Ｂが小文字の「８」に戻ると同時に、表示桁Ｃが大文字の「８」に変化して「８８８８」となる。その後、表示桁Ｃが小文字の「８」に戻ると同時に、表示桁Ｄが大文字「８」に変化して「８８８８」となり、その後、表示桁Ｄが小文字の「８」に戻り、「８８８８」となる。
【００３８】
また、この場合の表示の他例が図１１されている。例えば４桁で表示される小文字からなる数字「８８８８」が左側の表示桁から順送りでかわってゆき「１１１１」となる例である。まず、最も左の表示桁Ａが大文字の「１」に変化して「１８８８」となる。ここでは、大文字として表示される数字にアンダーラインが付してある。以下同様に大文字にはアンダーラインを付するものとする。
次に、表示桁Ａが小文字の「１」になると同時に、表示桁Ｂが大文字の「１」に変化して「１１１１」となる。続いて、表示桁Ｂが小文字の「１」になると同時に、表示桁Ｃが大文字の「１」に変化して「１１１８」となる。その後、表示桁Ｃが小文字の「１」になると同時に、表示桁Ｄが大文字「１」に変化して「１１１１」となり、その後、表示桁Ｄが小文字の「１」に戻り、「１１１１」となる。
このように、液晶表示パネル６，７の一方による表示から他方の表示に順送りで１つずつスクロールさせて変更することによって、躍動感のある表示表現が可能となる。
【００３９】
以上、本発明の実施形態について説明したが、本発明は、かかる実施形態には限定されるものではない。
例えば、上記実施形態では、時刻セット時、アラーム報音時、アニメーションモード時本発明を適用した例について説明したが、傾斜キーがＯＦＦからＯＮになった時に２つの液晶表示パネルの駆動を適宜制御して表示全体又は一部が視認側に飛び出すような表示を行うこともできる。
また、ラップタイムを計時したときにラップタイムだけを強調することもできる。
上記実施形態では、２層の液晶表示パネルの表示駆動を制御して視認側に時刻が飛び出すような表示を行うようにしているが、３層以上の液晶表示パネルの表示駆動を制御して視認側に時刻が飛び出すような表示を行うようにしてもよい。
【符号の説明】
【００４０】
６    第１の液晶表示パネル
６ｃ  セグメント電極
７    第２の液晶表示パネル
７ｃ  セグメント電極
１０６  表示駆動回路部
【図１】
2011002321.tif 000003
【図２】
2011002321.tif 000004
【図３】
2011002321.tif 000005
【図４】
2011002321.tif 000006
【図５】
2011002321.tif 000007
【図６】
2011002321.tif 000008
【図７】
2011002321.tif 000009
【図８】
2011002321.tif 000010
【図９】
2011002321.tif 000011
【図１０】
2011002321.tif 000012
【図１１】
2011002321.tif 000013